(57)【特許請求の範囲】
【請求項１】
口腔内で固定されるように構成された雄部（５０；５０’）との解除可能な接続を形成するための雌部であって、前記雌部は、
歯科用補綴物に固定されるように構成されたハウジング（２０；２０’）と、
インサート（１；１’）であって、前記インサート（１；１’）は、前記ハウジングに挿入可能であり、前記インサート（１；１’）は、前記ハウジングに対して回動可能であり、前記インサート（１；１’）は、前記雄部（５０；５０’）の部分（５１）を受け入れるための内部（１０）を有する、インサート（１；１’）と、
調整手段（５ａ〜５ｃ、３１ａ〜３１ｃ、３２ａ〜３２ｃ、３３ａ〜３３ｃ；３１ａ’〜３１ｃ’）であって、前記調整手段は、前記ハウジング内及び前記インサート上に形成されており、前記調整手段は、前記インサートが前記ハウジングに対して回転されるとき、前記インサートの直径を変化させる、調整手段（５ａ〜５ｃ、３１ａ〜３１ｃ、３２ａ〜３２ｃ、３３ａ〜３３ｃ；３１ａ’〜３１ｃ’）と
を備え、
前記ハウジングが内面（２５ａ〜２５ｇ；２５ａ’〜２５ｅ’）を有し、前記インサートが外面を有する、雌部において、
前記調整手段を形成するために、前記内面及び外面のうちの１つが、少なくとも１つの突起（５ａ〜５ｃ）を備え、前記内面及び外面のうちの他の１つ（２５ａ〜２５ｇ；２５ａ’〜２５ｅ’）が、前記少なくとも１つの突起が係合可能な少なくとも１つの凹部（３１ａ〜３１ｃ、３２ａ〜３２ｃ、３３ａ〜３３ｃ；３１ａ’〜３１ｃ’）を備え、
前記雌部が、係止手段（５ａ〜５ｃ、３１ａ〜３１ｃ、３２ａ〜３２ｃ、３３ａ〜３３ｃ；１５ａ〜１５ｃ、４１ａ〜４１ｃ、４２ａ〜４２ｃ、４３ａ〜４３ｃ）を備え、前記係止手段は、離散的に配置される係止位置を規定するために、前記ハウジング（２０；２０’）内及び前記インサート（１；１’）上に形成されており、
前記インサートは、少なくとも１つの係止位置において、少なくとも１つの他の係止位置においてよりも大きく圧縮される、ことを特徴とする雌部。
【請求項２】
前記少なくとも１つの凹部（３１ａ〜３１ｃ、３２ａ〜３２ｃ、３３ａ〜３３ｃ；３１ａ’〜３１ｃ’）が形成される前記内面（２５ａ〜２５ｇ；２５ａ’〜２５ｅ’）が、アンダーカット（２５ｃ；２５ｃ’）を備えて、前記インサート（１；１’）を前記ハウジング（２０；２０’）に保持力により保持する、請求項１に記載の雌部。
【請求項３】
前記調節手段（５ａ〜５ｃ、３１ａ〜３１ｃ、３２ａ〜３２ｃ、３３ａ〜３３ｃ；３１ａ’〜３１ｃ’）がネジ山なしで形成される、請求項１又は２に記載の雌部。
【請求項４】
前記少なくとも１つの凹部（３１ａ〜３１ｃ、３２ａ〜３２ｃ、３３ａ〜３３ｃ；３１ａ’〜３１ｃ’）が、前記ハウジング（２０；２０’）に対して前記インサート（１；１’）が回転する回転軸（ｘ）に対して径方向に偏位するように位置する中心を有する湾曲を含む、請求項１から３までのいずれか一項に記載の雌部。
【請求項５】
前記少なくとも１つの凹部（３１ａ〜３１ｃ、３２ａ〜３２ｃ、３３ａ〜３３ｃ；３１ａ’〜３１ｃ’）が前記ハウジング（２０；２０’）の前記内面（２５ａ〜２５ｇ；２５ａ〜２５ｅ’）に形成されるとともに、前記少なくとも１つの突起（５ａ〜５ｃ）が前記インサート（１；１’）の外面に形成される、請求項１から４までのいずれか一項に記載の雌部。
【請求項６】
前記少なくとも１つの突起（５ａ〜５ｃ）とともに、調整手段及び係止手段として機能する、少なくとも２つの凹部（３１ａ〜３１ｃ、３２ａ〜３２ｃ、３３ａ〜３３ｃ）を備える、請求項１から５までのいずれか一項に記載の雌部。
【請求項７】
前記係止手段が、前記調整手段と異なるとともに、くぼみ（４１ａ〜４１ｃ、４２ａ〜４２ｃ、４３ａ〜４３ｃ）と係合可能な少なくとも１つの小隆起（１５ａ〜１５ｃ）を備える、請求項１から５までのいずれか一項に記載の雌部。
【請求項８】
少なくとも２つの凹部（３１ａ〜３１ｃ、３２ａ〜３２ｃ、３３ａ〜３３ｃ）を備え、前記少なくとも２つの凹部は、以下の特徴、すなわち、
形状、
前記ハウジング（２０；２０’）に対して前記インサート（１；１’）が回転する回転軸（ｘ）周りで前記各凹部が延出する角度範囲（α、β、γ）、
前記回転軸からの最大距離
のうち少なくとも１つにおいて異なる、請求項１から７までのいずれか一項に記載の雌部。
【請求項９】
前記インサート（１；１’）が前記ハウジング（２０；２０’）に挿入されたとき、前記ハウジング（２０；２０’）と前記インサート（１；１’）との間に隙間（３７）が形成され、前記インサートを取り扱うための補助的器具が前記隙間に挿入可能である、請求項１から８までのいずれか一項に記載の雌部。
【請求項１０】
前記インサート（１；１’）の前記外面が少なくとも１つのくぼみを備え、前記くぼみが、前記インサートが前記ハウジング（２０；２０’）に挿入されるとき、前記隙間（３７）に位置し、且つ／又は前記隙間（３７）が、前記ハウジング（２０；２０’）に対して前記インサート（１；１’）が回転する回転軸（ｘ）周りで延びる、請求項９に記載の雌部。
【請求項１１】
前記ハウジング（２０；２０’）に対して前記インサート（１；１’）が回転する回転軸（ｘ）方向で見たとき、前記インサート（１；１’）が、貫通開口（２）を備え、前記貫通開口（２）は、非円形の形状を有しており、且つ／又は、壁（１ａ、１ａ’）が、前記貫通開口（２）の周りに延び、前記壁（１ａ、１ａ’）は、連続的になっているか、又は、スロット（３）によって中断されている、請求項１から１０までのいずれか一項に記載の雌部。
【請求項１２】
前記インサート（１；１’）が、壁厚を変化させることにより少なくとも１つの弱化領域（４ａ、４ｂ）を形成する壁を備える、請求項１から１１までのいずれか一項に記載の雌部。
【請求項１３】
少なくとも２つの突起（５ａ〜５ｃ）を備え、前記ハウジング（２０；２０’）に対して前記インサート（１；１’）が回転する回転軸（ｘ）方向に見たとき、前記少なくとも１つの弱化領域（４ａ、４ｂ）が前記少なくとも２つの突起の間に配置される、請求項１２に記載の雌部。
【請求項１４】
前記インサートが、プラスチック若しくは金属で作られる、請求項１から１３までのいずれか一項に記載の雌部。
【請求項１５】
口腔内で歯科用補綴物を解除可能に取り付けるための、請求項１から１４までのいずれか一項に記載の雌部と、これに連結されるよう構成される雄部（５０；５０’）と、を備える連結セット。
【請求項１６】
前記雄部（５０；５０’）は、当接部、インプラント、ルート・ピン、ルート・アンカー又はバーの要素として形成される、請求項１５に記載の連結セット。
【請求項１７】
前記雄部（５０；５０’）のヘッド端部（５０ａ）の軸線方向の終端である外面（５１ａ、５１ｂ）が、平面状又は凸型の形状を有する、請求項１５又は１６に記載の連結セット。
【発明の詳細な説明】
【技術分野】
【０００１】
本発明は、口腔内で固定されるように構成された、雄部との解除可能な連結を形成するための雌部に関する。雌部は、歯科用補綴物に固定されるように構成されたハウジング及びハウジングに挿入可能なインサートを備える。
【０００２】
この雌部は、取り外し可能な義歯又はその他のタイプの歯科用補綴物を、口腔内で解除可能に取り付けることを可能にするために、歯科用補綴物において使用される。使用期間が増大するにつれて、雌部が雄部に固定されるための保持力が、例えば摩滅によって低下しうる。
【背景技術】
【０００３】
同出願人による欧州特許出願公開第８６７１５４号Ａ１又は国際公開第２０１１／０２７２２９号Ａ２から知られるような雌部のより簡潔な実施例においては、インサートを取り換えることによって当初の保持力を回復することができる。これには、追加的な取り換え部品が設けられる必要があり、保持力を設定するためにこれらの部品を交換する必要がある、という欠点がある。
【０００４】
保持力の調節を可能にする活性化可能な雌部も知られている。例えば、同出願人による欧州特許出願公開第０８９４４８０号Ａ１には、インサートに作用する回転可能な調節リングを有する雌部が記載されている。同出願人による欧州特許出願公開第１０２１９９９号Ａ１には、ラメラインサートと協働する雌部が記載されている。このタイプの雌部は、継続的な調節可能性のために設計されており、これにより、特定の所望の力水準を調節することが困難となる。
【先行技術文献】
【特許文献】
【０００５】
【特許文献１】欧州特許出願公開第８６７１５４号Ａ１
【特許文献２】国際公開第２０１１／０２７２２９号Ａ２
【特許文献３】欧州特許出願公開第０８９４４８０号Ａ１
【特許文献４】欧州特許出願公開第１０２１９９９号Ａ１
【発明の概要】
【発明が解決しようとする課題】
【０００６】
本発明の目的は、雌部が雄部に固定されるための保持力の明確且つ簡単な調節を可能にする雌部を提供することである。
【課題を解決するための手段】
【０００７】
この目的は、請求項１に記載の雌部によって実現される。これに追加される請求項は、本発明による雌部及びかかる雌部を備える連結セットを定義する。
【０００８】
請求項１によれば、インサートがハウジングに対して回転するときにインサートの直径を変化させる調節手段が設けられ、さらに、ハウジング内でインサート上に設けられる、離散的に配置される係止位置を規定するための係止手段であって、インサートが少なくとも１つの係止位置で、少なくとも１つの他の係止位置においてよりもより圧縮される係止手段が設けられる。インサートをハウジングに対して回転させることにより保持力を調節することの簡単な可能性は、ハウジングの内側だけでなくインサートの外側についても適切な形状とすることによって生み出される。
【０００９】
調節手段は、好ましくは、インサートが回転軸の周りを回転するときに、その軸位置が変化しないように設計される。これは、例えば、少なくとも１つのアンダーカットを設けるか、及び／又はネジ山のない調節手段を設計することにより実現される。
【００１０】
追加的特徴及びその利点が、追加的請求の範囲及び以下の説明から導出される。
【００１１】
本発明を、図を参照しつつ、例示的実施例に基づいて、以下により詳細に説明する。
【図面の簡単な説明】
【００１２】
【図１】本発明の第１の例示的実施例による例示的な雄部、並びにハウジング及びインサートを備える雌部の分解図を示す。
【図２】側面視における図１によるインサートを示す。
【図３】縦断面における図１によるインサートを示す。断面図は、図４の線ＩＩＩ−ＩＩＩによって示すように位置する。
【図４】横断面における図１によるインサートを示す。断面図は、図４の線ＩＶ−ＩＶによって示すように定義される。
【図５】下方から見た図１によるハウジングを示す。
【図６】側面視における図１によるハウジングを示す。
【図７】図示する線ＶＩＩ−ＶＩＩによる断面における、図５によるハウジングを示す。
【図８】図示する線ＶＩＩＩ−ＶＩＩＩによる断面における、図６によるハウジングを示す。
【図９】組み立てられた状態の、図１によるハウジング及びインサートの断面図を示す。断面は、図３及び図６の線ＩＸ−ＩＸによって示すように位置する。
【図１０】ハウジングに挿入され、ここでは第１の係止位置で示される、図１によるハウジング及びインサートの断面図を示す。断面は、図６の線ＶＩＩＩ−ＶＩＩＩによって示すように位置する。
【図１１】図１０による断面図を示す。ただし、インサートは第２の係止位置にある。
【図１２】図１０による断面図を示す。ただし、インサートは第３の係止位置にある。
【図１３】図１からの雄部の透視図を示す。
【図１４】溝５２の高さで切断された、上方から見た図１からの雄部を示す。
【図１５】縦断面における図１からの雄部を示す。
【図１６】縦断面において連結された図１からの構成部品を示す。雄部は一部のみを示す。
【図１７】本発明の第２の例示的実施例による例示的な雄部、並びにハウジング及びインサートを備える雌部の分解図を示す。
【図１８】側面視における図１７によるインサートを示す。
【図１９】縦断面における図１７によるインサートを示す。断面図は、図２０の線ＸＩＸ−ＸＩＸによって示すように位置する。
【図２０】横断面における図１７によるインサートを示す。断面図は、図１９の線ＸＸ−ＸＸによって示すように位置する。
【図２１】上方から見た図１７によるインサートを示す。
【図２２】下方から見た図１７によるハウジングを示す。
【図２３】ハウジングの底面の高さにおける断面図により、図２２によるハウジングを示す。
【図２４】ハウジング及びハウジングに挿入されたインサートの断面図を示す。インサートは、図１７による第１の係止位置にある。
【図２５】図２４による断面図を示す。ただし、インサートは第２の係止位置にある。
【図２６】図２４による断面図を示す。ただし、インサートは第３の係止位置にある。
【図２７】断面側面図における図２２によるハウジングを示す。
【図２８】縦断面における図１７からの相互接続された部分を示す。
【発明を実施するための形態】
【００１３】
第１の例示的実施例
口腔内の歯科用補綴物の解除可能な連結に関して、図１は、連結セットを示しており、連結セットは、雄部５０と、ハウジング２０及びインサート１を有する雌部とを備える。図１に、各構成部品１、２０、５０が、図１の軸線方向ｘにそれぞれの間に偏位がある状態で示す。構成部品１、２０、５０は、これらを結合したり分離させたりするために、当該方向ｘに移動する。軸線方向ｘは、構成部品１、２０、５０の長手方向軸線によって定められ、インサート１がその周りをハウジング２０に対して回転可能な回転軸に対応する。これについては、以下でさらに説明する。以下の説明では、軸線方向、長手方向軸線、及びｘ軸は、同義語として使用する。
【００１４】
図２から図４において個別に示すインサート１は、カバー要素１ａを有し、ｘ軸周りで延びる壁要素１ｂがカバー要素１ａから突出する。インサート１は、カバー要素１ａを通ってｘ軸線方向へ向かう貫通開口２を備える。また、インサート１は側部にスロット３を有する。スロット３は２つの要素１ａ、１ｂを貫通して、貫通開口２へ開口する。よって、インサートは、本質的にはＣ形状のリング要素として設計されている。
【００１５】
カバー要素１ａは、壁厚が薄くなっている弱化領域４ａ、４ｂを有する。したがって、貫通開口２は、弱化領域４ａ、４ｂにおいて、径方向に見て、残りの部分よりもさらに外向きに延びるような形状をとる。弱化領域４ａ、４ｂを設けることにより、確実に、インサート１を径方向に、より均一に圧縮又は伸張させる。例えば、インサート１を、以下でさらに説明するように、活性化させるか、又は雄部５０に固定させる。
【００１６】
外側では、カバー要素１ａには突起５ａ、５ｂ、５ｃが設けられており、突起５ａ、５ｂ、５ｃは、径方向に突出するとともに、インサート１の周囲に分配される。
【００１７】
各突起５ａ、５ｂ、５ｃは、傾斜した上部面６ａ、６ｃを有する。傾斜した上部面６ａ、６ｃは、インサート１のハウジング２０への挿入を容易にするとともに、周方向で見て丸い形を有し、これにより、ハウジング２０内でインサート１がさらに回転するのを容易にする。
【００１８】
各突起５ａ、５ｂ、５ｃの底部面７ａ、７ｃは、停止面として機能する。停止面は、ハウジング２０とこれに挿入されたインサート１が分離されたとき、ハウジング２０の内面に当接する（例えば、図７の内面２５ｃ）。したがって、各突起５ａ、５ｂ、５ｃは、インサート１のアンダーカット形状を画定し、ハウジング２０内での保持を可能にする。
【００１９】
本例示的実施例では、周方向に均等に分配された３つの突起５ａ〜５ｃが設けられる。ここでは、弱化領域４ａ、４ｂ又はスロット３は、２つの突起５ａ、５ｂ、５ｃの間に位置する（例えば、図４）。しかしながら、要素３、４ａ、４ｂは、突起５ａ、５ｂ、５ｃに対して異なる周上の位置をとってもよい。突起５ａ、５ｂ、５ｃ及び弱化領域４ａ、４ｂの個数は、意図される目的に従って、１つ又は２つ以上であってもよい。より簡潔な実施例では、弱化領域４ａ、４ｂを省略してもよい。スロット３も省略されてもよい。これにより、壁要素１ｂは閉鎖したリングを形成するか、又は、１つ以上のノッチが壁要素１ｂに設けられ、ラメラを形成してもよい（例えば、第２の例示的実施例のノッチ３ａ〜３ｃ）。
【００２０】
壁要素１ｂは、外側に溝９を備える。この溝は、インサート１を扱うための補助的器具に対する係合を容易にするように機能する。
【００２１】
インサート１の内部は、雄部５０の一部及びそのヘッド５１のためのレセプタクル１０を画定するとともに、その形状に応じて適合している。本例示的実施例でのカバー要素１ａの内部は、平らな内面１０ａによって画定され、この内面１０ａは、壁要素１ｂの凹状に湾曲した丸い内面１０ｂに隣接する。内面１０ｂは、本質的に円筒状の内面１０ｃに隣接し、この内面１０ｃは、傾斜した閉鎖面１０ｄに隣接する。この傾斜により、レセプタクル１０は内向きに徐々に細くなる入り口を有する。これによって、雄部５０の挿入が容易になる。もちろん、インサート１の内部は、雄部の設計によって、ここで示すものと異なって設計されてもよい。この雄部のヘッドは、例えば、球形、円錐形、又はその他の形状をとってもよい。
【００２２】
重合などの方法で歯科用補綴物、例えば義歯に取り付けることが可能なハウジング２０を、図５から図７でより詳細に示す。ハウジング２０はポットの形に設計され、底要素２０ａを備える。底要素２０ａは、平らな上部面を有し、周囲の側壁２０ｂがそこから突出する。ハウジング２０の外側は、アンダーカット形状を有する。これは、ｘ軸周りを走る１つ以上の保持溝２１が設けられるということによる。したがって、ハウジング２０と歯科用補綴物との間の安定した接続が確保される。さらに、ハウジング２０の外側は、２つの対向する位置２２にある平らな面を備えるように設計されている（例えば、図８）。例えば、プラスチック製の義歯に導入された場合、平らな側面２２が設けられていることにより、より回動可能で安定したハウジング２０の保持が確実となる。意図された目的によって、ハウジング２０の外側は、異なる設計とすることもできる。
【００２３】
ハウジング２０の内部は、インサート１のためのレセプタクルを画定する。底要素２０ａの内部は、平底２５ａにより画定される。側壁２０ｂの内部は、円周内面２５ｂ〜２５ｇを含む。円周内面２５ｂ〜２５ｇは、以下に掲げるように、ハウジング２０の開口へ向かう方向に相互に続く。
−  第１の内面２５ｂ。この内面は、インサート１上の突起５ａ〜５ｃと接するための内面である。
−  第２の内面２５ｃ。この内面は、第１の内面２５ｂに対して横断方向に配置されるとともに、アンダーカットを形成する。これにより、突起５ａ〜５ｃは、インサート１がｘ軸線方向に引っ張られたとき、内面２５ｃに当接する。
−  第３の内面２５ｄ。この内面は、第２の内面２５ｃとともにアンダーカットを形成し、したがって、径方向で見たとき、少なくとも一部は、第１の内面２５ｂよりもｘ軸の近くに位置する（例えば、図５でも、内面２５ｂは隠されており、したがって破線によって表わされる）。
−  第４の内面２５ｅ。この内面は、広がって、拡張された内側直径への移行部を形成する。
−  第５の内面２５ｆ。この内面は、本質的に円筒状に形成されている。
−  第６の内面２５ｇ。この内面は、内向きに傾いた傾斜又は面取りを有し、インサート１の入口開口の端部を形成する。
【００２４】
第４の内面２５ｅは、傾斜した位置２６ａ〜２６ｃを有する。位置２６ａ〜２６ｃは、内面２５ｅの他の部分よりも大きく傾斜している。位置２６ａ〜２６ｃは、突起５ａ〜５ｃの挿入位置を規定し、したがって突起５ａ〜５ｃと同様に、ｘ軸周りに分配される（例えば、図４及び図５）。位置２６ａ〜２６ｃの位置は、ここでは、第１の係止位置がハウジング２０にインサート１が挿入された後で到達されるように、選択される（例えば、図１０）。
【００２５】
第２の内面２５ｃは、アンダーカットの肩を形成し、本実例の周方向に連続的に延びず、傾斜した位置２６ａ〜２６ｃに隣接する位置３４ａ〜３４ｃで中断される。これらの位置３４ａ〜３４ｃは、第３の内面２５ｄが底２５ａへ延びる移行部を形成する（例えば、図１、図７及び図８）。
【００２６】
第１の内面２５ｂは、ハウジング２０内のインサート１の係止位置を画定するように形成されている。一般的に、内面２５ｂは、ｘ軸を横切る断面図では、円形の形状とは異なる形状をとる。これは、例えば、その湾曲の中心が回転軸ｘから半径方向に偏位している湾曲を有する少なくとも１つの凹部を設けることにより実現できる。図８は、横断面でのハウジング２０の拡大図であり、例示的実施例を示す。多数の凹部３１ａ〜３１ｃ、３２ａ〜３２ｃ、３３ａ〜３３ｃが設けられており、インサート１が径方向に圧縮される大きさが、ハウジング２０に対するインサート１の角度位置によって決まるように設計される。
【００２７】
本実例では、ハウジング２０は３つの突起を有するインサート１を受け入れるように設計される。ハウジング２０の内面２５ｂは、横断面で見たとき、３回回転対称を有する。すなわち、内面２５ｂの形状は、１２０度後に繰り返される。さらに、本実例では、３つの係止位置が設けられる。したがって、内面２５ｂは、１２０度の円弧セグメント上で見たとき、第１のタイプ３１ａ〜３１ｃ、第２のタイプ３２ａ〜３２ｃ、及び第３のタイプ３３ａ〜３３ｃの凹部を有する。位置３４ａ、３４ｂ、３４ｃのうちの１つは、第３のタイプ３３ａ〜３３ｃの凹部のそれぞれと隣接しており、次の１２０度の円弧セグメントへの移行部を形成する。
【００２８】
各タイプの凹部３１ａ〜３１ｃ、３２ａ〜３２ｃ、３３ａ〜３３ｃは、異なるように設計されている。各凹部３１ａ〜３１ｃ、３２ａ〜３２ｃ、３３ａ〜３３ｃの湾曲は、ここでは同一になるように選択されているが、中心ｘ０からの最大距離は異なっている。したがって、第１のタイプの凹部３１ａ〜３１ｃ、第２のタイプの凹部３２ａ〜３２ｃ、及び第３のタイプの凹部３３ａ〜３３ｃが延びる角度範囲、並びに同一のタイプの凹部３１ａ〜３１ｃ、３２ａ〜３２ｃ、３３ａ〜３３ｃの中点の間の距離は異なっている。凹部３１ａ、３２ａ、３３ａが延びる角度α、β、γは、図８で実例として示す。この実例では、凹部３１ａと３１ｂ、３２ａと３２ｂ、及び３３ａと３３ｂの中間点の間の距離ｄ１、ｄ２、ｄ３も示す。ここで、α＞β＞γ且つｄ１＞ｄ２＞ｄ３である。
【００２９】
凹部３１ａ〜３１ｃ、３２ａ〜３２ｃ、３３ａ〜３３ｃは、ここでは本質的に円筒状の面の断面として形成されるが、異なる形状、好ましくは円形をとってもよい。
【００３０】
インサート１とハウジング２０は、突起５ａ〜５ｃが、傾斜した位置２６ａ〜２６ｃの上方に挿入されることができるとともに、第１のタイプの凹部３１ａ〜３１ｃ内に設置されるように、構成部品を相互に配列することにより組み合わせることができる。インサート１は第１の係止位置に位置する（例えば、図１０）。ここでは、インサート１がハウジング２０から分離している状態の場合と本質的に同じ形状をとるように設計される。そしてハウジング２０が実質上、インサート１にさらなる半径方向力をかけないように、設計されている。必要な場合、例えば、雌部１、２０が雄部５０に保持されるための保持力が弱まった場合、インサート１は十分に大きなトルクを受けることにより、次の係止位置へ移動させられる。この結果、突起５ａ〜５ｃは、第１のタイプの凹部３１ａ〜３１ｃから移動し、第２のタイプの凹部３２ａ〜３２ｃに位置する（例えば、図１１）。第２の係止位置は、ハウジング２０がインサート１に半径方向力をかけることによってこれを圧縮するという事実により活性化が実現されるように設計される。図１２に示す、ｘ軸の周りをインサート１が回転することにより定められる第３の係止位置は、ここでより大きな活性化を発揮する。すなわち、インサート１はここで最大限まで圧縮される。インサート１が再度ｘ軸の周りを回転する場合、第３の係止位置から位置３４ａ〜３４ｃを通って第１の係止位置まで移動する。
【００３１】
インサート１の壁要素１ｂは、入口開口の領域内のハウジング２０の側壁２０ｂからの距離で延在し、その間に隙間３７を形成する（例えば、図９及び図１６）。インサート１の縁部は、外部からの影響を受けやすいので、必要に応じて、例えば溝９に作用する補助的器具によって圧縮されることができる。また、ハウジング２０から取り除くこともできる。
【００３２】
雌部１、２０は、例えば図１３から図１５に示すように、雄部５０の相手方として使用できる。雄部は、ここでは、接続端部５０ａを備えるとともに、中央の雄部５０ｂを介して固定端部５０ｃと接続される当接部として設計される。中央の雄部５０ｂ及び固定端部５０ｃは、当接部５０がインプラントに固定できるように設計される。この目的のために、固定端部５０ｃは、例えばインプラントの補助ネジ山にねじ込まれることができるようなネジ山を備える。
【００３３】
応用例に応じて、構成部品５０ｂ及び５０ｃは、雄部５０が他の歯科用部品（ルート・ピン、ルート・アンカー、バー、とりわけ、ＣＡＤ／ＣＡＭにより製造されたバー、例えば、ネジ山のある雄部のヘッドの形をとり、これを使用してヘッドを面一にバーにねじ込むことができるもの、ルート・キャップ等）若しくは、骨又は歯根と直接連結できるように設計されることもできる。
【００３４】
特に、図１５に示すように、雄部５０の接続端部５０ａは、凸型及び／又は平面形状の外形を有する端面上のヘッド５１を備える。本実例では、外形には平端面５１ａがある。この平端面５１ａは、ここで円形の横断面を有する円周状の丸い面５１ｂと横方向に隣接する。ヘッド５１は、好ましくは、口腔内使用の際に使用者に不快感を与える縁部がなく、且つ／又は、凸型の面、とりわけ清掃を困難にするくぼみがない。面５１ｂは、２つの側面５２ａ、５２ｃを備える溝５２に隣接する。側面５２ａ、５２ｃの間に底面５２ｂが位置する。側面５２ａ、５２ｃは、横断面で見たとき、お互いに対向するように位置する。溝５２は、底面５２ｂの方向へ徐々に細くなっていく。上述のように、雄部のヘッドは、異なる形状、例えば球形、円錐形などをとってもよい。
【００３５】
周囲のカラー５４は、本事例ではディスク形状で、溝５２に隣接する。このカラー５４は、図１５に示すように、横方向に突出し、ここではヘッド５１よりも大きい直径を有する。カラー５４は、中央の雄部５０ｂに隣接する。
【００３６】
インサート１及びハウジング２０で構成される雌部は、ｘ軸線方向に移動させることにより、雄部１上に位置することができる。図１６は、組み立てられた状態での構成部品１、２０、５０を示す。雄部５０のヘッド５１は、インサート１のレセプタクル１０に収容され、インサート１の内側と少なくとも一部が接している。したがって、インサート１は、雄部１の一部、ここではヘッド５１を取り囲む。カラー５４及びハウジング２０の縁部は、カラー５４がハウジング２０の外側に位置するように位置する。
【００３７】
各構成部品１、２０、５０は、口腔内での使用に適した材料、例えばチタン等の金属、又はＰＥＡＫ（ポリアリルエーテルケトン）、特にＰＥＥＫ（ポリエーテルエーテルケトン）又はＰＥＫＫ（ポリエーテルケトンケトン）等のプラスチック製である。特別な実施例では、インサート２０は、好ましくは金含有量が５０重量％超の合金製である。
【００３８】
第２の例示的実施例
第１の例示的実施例では、突起５ａ〜５ｃ及び凹部３１ａ〜３１ｃ、３２ａ〜３２ｃ、３３ａ〜３３ｃは調節手段として機能する。これにより、インサート１がハウジング２０及び係止手段に対して回転するとき、インサート１の直径が変化する。これと同時に、突起５ａ〜５ｃ及び凹部３１ａ〜３１ｃ、３２ａ〜３２ｃ、３３ａ〜３３ｃは、離散的に配置された係止位置を規定することができる係止手段としても機能する。
【００３９】
また、以下に説明する実施例の場合のように、調節手段と係止手段とを相互に別個に設計することも考えられる。
【００４０】
図１７は、雄部５０’並びにハウジング２０’及びインサート１’を有する雌部を備えた連結セットの第２の例示的実施例を示す。第１の例示的実施例と同じ要素は、同じ参照記号が付されている。
【００４１】
図１８から図２１において個別に示すインサート１’は、カバー要素１ａ’を有し、ｘ軸周りで延びる壁要素１ｂ’がカバー要素１ａ’から突出する。２つの要素１ａ’、１ｂ’を貫通するスロット３に加えて、壁要素１ｂ’は、ラメラを有するように、ノッチ３ａ、３ｂ、３ｃを備える（例えば、図１７）。
【００４２】
係止手段を形成するために、小隆起１５ａ、１５ｂ、１５ｃがカバー要素１ａ’の外側に配置される。小隆起１５ａ、１５ｂ、１５ｃは、ベース面から突出するとともに、ハウジング２０’の底２５ａ’に形成されたくぼみ４１ａ〜４１ｃ、４２ａ〜４２ｃ、４３ａ〜４３ｃに係合されることができる（例えば、図２２及び図２３）。
【００４３】
図１７及び図２７に示すように、ハウジング２０’は、円周内面２５ｂ’〜２５ｄ’、２５ｇ、２５ｆを含む側壁２０ｂ’を有する底要素２０ａ’を備える。円周内面２５ｂ’〜２５ｄ’、２５ｇ、２５ｆは、ハウジング２０’内の開口に向かう方向で見たとき、以下の通り相互に続く。
−  インサート１’上の突起５ａ〜５ｃと接するための第１の内面２５ｂ’。
−  面２５ｂ’に対して横向きに配置される第２の内面２５ｃ’。
−  第３の内面２５ｄ’。
−  第４の内面２５ｅ’。この内面は、広がって、他の２つの内面２５ｆ及び２５ｇへの移行部を形成する。これは、第１の例示的実施例によるインサート１の場合と同じである。
【００４４】
第２の内面２５ｃ’は、第３の内面２５ｄ’とともにアンダーカットを形成し、第３の内面２５ｄ’が底２５ａ’へと延びる移行部を形成する位置３４ａ’〜３４ｃ’で中断される。
【００４５】
第１の内面２５ｂ’は、インサート１’上の突起５ａ〜５ｃとともに、インサート１’の直径を変化させることを可能にする調節手段を形成するような形状をとる。一般的に、内面２５ｂ’はｘ軸を横切る断面で見たとき、円形の形状から逸脱した形状をとる。図２３は、横断面でのハウジング２０’の拡大図である。内面２５ｂ’は、角度δにわたって延びる円弧セグメントを含む凹部３１ａ’〜３１ｃ’を有する。本実例では、ハウジング２０’は、３つの突起５ａ〜５ｃを含むインサート１’を受け、３つの同一の円弧セグメントδが設けられて、各円弧セグメントが１２０度半径方向に偏位するよう配置されるように設計されている。さらに、ここでは、時計回り方向で見たときに、円弧セグメントδは円形で、距離ｄは減少していくように設計される。円弧セグメントδの外側では、内面２５ｂ’は付加的な湾曲した円弧セグメントを有する。これらの付加的な円弧セグメントは、好ましくは、インサート１’の各突起５ａ、５ｂ、５ｃが内面２５ｂ’全体に沿って回転できるように設計される。
【００４６】
さらに、本例示的実施例では、インサート１’が３つの小隆起を有する、３つの係止位置が設けられる。よって、ハウジング底面２５ａ’は、３つのくぼみのセットを有する。これらは、それぞれ１２０度だけ半径方向に偏位している。図２３によると、３つのセットは、くぼみ４１ａ、４２ａ、４３ａと、くぼみ４１ｂ、４２ｂ、４３ｂと、くぼみ４１ｃ、４２ｃ、４３ｃとによって形成される。意図される応用例に応じて、小隆起及びくぼみの個数及び配置が異なるように選択することもできる。より簡潔な実施例では、例えば、１つの小隆起と２つのくぼみが、所定の２つの係止位置のために設けられる。インサートが２つ以上のくぼみを有し、ハウジングが１つ又は複数の小隆起を有するような、補完的な設計も可能である。
【００４７】
くぼみ４１ａ〜４３ｃの配置は、係止効果を得られるように選択される。ハウジング２０’に対するインサート１’の回転位置によって、突起５ａ〜５ｃが円弧セグメントδ上で異なる位置に配置され、インサート１’がそれに従って変化する直径を有する。全体としては、これにより、雌部１’、２０’が雄部５０’に保持される保持力を精密に調節する。
【００４８】
本例示的実施例では、図２４から図２６は、インサート１’の様々な係止位置を示す。図２４による第１の係止位置では、小隆起１５ａ〜１５ｃはくぼみ４１ａ〜４１ｃ内に位置し、図２５による第２の係止位置では、小隆起はくぼみ４２ａ〜４２ｃ内に位置し、図２６による第３の係止位置では、小隆起はくぼみ４３ａ〜４３ｃ内に位置する。インサート１’が第１の係止位置から第２の係止位置、次いで第３の係止位置へと移動するそれぞれの場合に、距離ｄは、減少する。これにより、インサート１’はそれに従って圧縮される。
【００４９】
図２８は、インサート１’がハウジング２０’に挿入されるとともに、雄部５０’のヘッド５１上に位置している配置を横切る横断面を示す。ヘッド５１は、ここでは図１５による雄部５０の場合と本質的に同様に設計されるが、異なるように設計されてもよい。
【００５０】
ここで説明する雌部には、雄部が保持される保持力を容易に調節し、これを正確に設定する手段が利用可能であるという利点がある。これを可能にするのは、不必要に追加的な部品を設けることなくハウジングとインサートの形状を適切なものにすることのみである。これは、知られている活性化可能な変形形態の場合と同様である。
【００５１】
以上の説明から、当業者は、特許請求の範囲で定義される本発明の保護の範囲を超えることなく多数の修正を利用できる。
【００５２】
回転の結果としてインサートの直径を変化させる調節手段は、以上に示す例示的実施例ではハウジング底面２５ａ、２５ａ’の隣に位置する。ハウジングの内側及びインサートの外側を、ｘ軸線方向に見たときに、調節手段が異なるレベルに位置するように設計することも考えられる。例えば、図７及び図２７による内面２５ｆのレベルに面２５ｂ又は面２５ｂ’のようなタイプの面を設け、それに従ってインサート１又は１’上の突起５ａ〜５ｃのレベルを開口に向けてオフセットさせて、配置することが考えられる。
【００５３】
ここで示す３つの突起と３つの係止位置を有する雌部の実施例は、実例の１つにすぎない。一般的に、ハウジング内の凹部の個数、形状、及び位置並びに小隆起及びくぼみ（存在する場合）は、調節可能な係止オプションの個数、並びに突起の個数、形状、及び位置に基づく。簡素な実施例では、例えば、１つの凹部及び１つの突起が調節手段として設けられ、１つの小隆起及び２つのくぼみが係止手段として設けられることにより、２つの係止位置が設けられ、この２つの係止位置ではインサートが異なる大きさに圧縮される。インサートの外側に１つ以上の凹部及び／又は１つ以上のくぼみが設けられ、１つ以上の突起及び／又は１つ以上の小隆起がハウジングの内側に設けられるような補完的な配置も可能である。
【００５４】
インサートの内側は、使用される雄部の対応する形状によって設計される。したがって、インサートは、例えば、ヘッドとは異なる雄部の構成部品が収容できるように設計されてもよい。例えば、貫通開口は、雄部のヘッドがそれを貫通して、ハウジングに収容されるような形状をとる。これによって、組み立てられた状態で、インサートが両端部の間に位置する雄部領域を取り囲む。
【符号の説明】
【００５５】
１  インサート
１ａ  カバー要素
１ｂ  壁要素
２  貫通開口
３  スロット
３ａ  ノッチ
３ｂ  ノッチ
３ｃ  ノッチ
４ａ  弱化領域
４ｂ  弱化領域
５ａ  突起
５ｂ  突起
５ｃ  突起
６ａ  傾斜した上部面
６ｃ  傾斜した上部面
７ａ  底部面
７ｃ  底部面
９  溝
１０  レセプタクル
１０ａ  平らな内面
１０ｂ  丸い内面
１０ｃ  円筒状の内面
１０ｄ  傾斜した閉鎖面
１５ａ  小隆起
１５ｂ  小隆起
１５ｃ  小隆起
２０  ハウジング
２０ａ  底要素
２０ｂ  側壁
２１  保持溝
２２  平らな側面
２５ａ  平底
２５ｂ  第１の内面
２５ｃ  第２の内面
２５ｄ  第３の内面
２５ｅ  第４の内面
２５ｆ  第５の内面
２５ｇ  第６の内面
２６ａ  傾斜した位置
２６ｂ  傾斜した位置
２６ｃ  傾斜した位置
３１ａ  第１のタイプの凹部
３１ｂ  第１のタイプの凹部
３１ｃ  第１のタイプの凹部
３２ａ  第２のタイプの凹部
３２ｂ  第２のタイプの凹部
３２ｃ  第２のタイプの凹部
３３ａ  第３のタイプの凹部
３３ｂ  第３のタイプの凹部
３３ｃ  第３のタイプの凹部
３４ａ  傾斜した位置２６ａ〜２６ｃに隣接する位置
３４ｂ  傾斜した位置２６ａ〜２６ｃに隣接する位置
３４ｃ  傾斜した位置２６ａ〜２６ｃに隣接する位置
３７  隙間
４１ａ  くぼみ
４１ｂ  くぼみ
４１ｃ  くぼみ
４２ａ  くぼみ
４２ｂ  くぼみ
４２ｃ  くぼみ
４３ａ  くぼみ
４３ｂ  くぼみ
４３ｃ  くぼみ
５０  雄部
５０ａ  接続端部
５０ｂ  中央の雄部
５０ｃ  固定端部
５１  ヘッド
５１ａ  平端面
５１ｂ  丸い面
５２  溝
５２ａ  側面
５２ｃ  側面
５２ｂ  底面
５４  カラー
【図１】
0006669458.tif 000002
【図２】
0006669458.tif 000003
【図３】
0006669458.tif 000004
【図４】
0006669458.tif 000005
【図５】
0006669458.tif 000006
【図６】
0006669458.tif 000007
【図７】
0006669458.tif 000008
【図８】
0006669458.tif 000009
【図９】
0006669458.tif 000010
【図１０】
0006669458.tif 000011
【図１１】
0006669458.tif 000012
【図１２】
0006669458.tif 000013
【図１３】
0006669458.tif 000014
【図１４】
0006669458.tif 000015
【図１５】
0006669458.tif 000016
【図１６】
0006669458.tif 000017
【図１７】
0006669458.tif 000018
【図１８】
0006669458.tif 000019
【図１９】
0006669458.tif 000020
【図２０】
0006669458.tif 000021
【図２１】
0006669458.tif 000022
【図２２】
0006669458.tif 000023
【図２３】
0006669458.tif 000024
【図２４】
0006669458.tif 000025
【図２５】
0006669458.tif 000026
【図２６】
0006669458.tif 000027
【図２７】
0006669458.tif 000028
【図２８】
0006669458.tif 000029